(57)【要約】【課題】従来のパチンコ機の検知スイッチにおいては、機械式スイッチと近接スイッチとを相互に変更するのに、検出回路が形成された回路基板を変更しなければならなかった。【解決手段】検知スイッチ３０は、端子３０ａが抵抗３２を介して２極双投スイッチ３３の一方のスイッチに、端子３０ｂが他方のスイッチに接続されている。２極双投スイッチ３３は、検出回路３１を機械式スイッチまたは近接スイッチに対応した電源接続構成に切り換える切換手段を構成している。検出回路３１は、２極双投スイッチ３３が接点３３ａ側に切り換えられると機械式スイッチからの検知信号を検出する回路構成になり、接点３３ｂ側に切り換えられると近接スイッチからの検知信号を検出する回路構成になる。【選択図】  図４
2004174025.tif 000002
【特許請求の範囲】
【請求項１】
遊技球を検知する検知手段と、この検知手段からの検知信号を検出して制御基板へ検出信号を出力する検出回路とから構成される弾球遊技機において、前記検出回路は、前記検知手段の検知方式に関わらず同一の回路構成からなることを特徴とする弾球遊技機。
【請求項２】
前記検出回路は、前記検知手段の検知方式に対応した電源接続構成に切り換える切換手段を備えていることを特徴とする請求項１に記載の弾球遊技機。
【請求項３】
前記検知手段の検知方式は機械式スイッチまたは近接スイッチからなり、前記検出回路は、前記機械式スイッチからの検知信号を検出する回路と、前記近接スイッチからの検知信号を検出する回路とから構成されることを特徴とする請求項１または請求項２に記載の弾球遊技機。
【発明の詳細な説明】
【０００１】
【発明の属する技術分野】
本発明は、遊技球を検知する検知手段を備えて構成される弾球遊技機に関するものである。
【０００２】
【従来の技術】
図１は、従来のパチンコ機における、パチンコ球の入賞及び球貸しの検出を行う回路の構成を示す図である。同図（ａ）はパチンコ球を検知する検知手段が機械式スイッチ１である場合における、このスイッチ１からの検知信号を検出する検出回路、同図（ｂ）は検知手段が近接スイッチ２である場合における検出回路を示す。
【０００３】
同図（ａ）に示す機械式スイッチ１による検出回路では、プルアップ抵抗３を介してＤＣ１２［Ｖ］の電源がノーマリーオープンの機械式スイッチ１に接続されている。パチンコ球が検知されていないノーマル時、機械式スイッチ１はオフになっていてプルアップ抵抗３の電圧値Ｖａは約１２［Ｖ］になっている。従って、抵抗４及びコンデンサ５からなるＣＲローパスフィルタを介してコンパレータ６に約１２［Ｖ］の電圧が印加され、図示しない制御基板に出力される電圧は高レベルとなっている。パチンコ球が検知されると機械式スイッチ１がオンになって導通し、プルアップ抵抗３の電圧値Ｖａは約０［Ｖ］になり、コンパレータ６にかかる電圧は小さくなって、その出力電圧は低レベルとなる。
【０００４】
また、同図（ｂ）に示す近接スイッチ２による検出回路では、ノーマリークローズの近接スイッチ２を介してＤＣ１２［Ｖ］の電源が検出回路に供給されている。近接スイッチ２はプルダウン抵抗７を介して接地されており、パチンコ球が検知されていないノーマル時にオンで導通している。このとき、プルダウン抵抗７の電圧値Ｖｂは約５．６［Ｖ］になり、抵抗８及びコンデンサ９からなるＣＲローパスフィルタを介してコンパレータ１０に約５．６［Ｖ］の電圧が印加され、その出力電圧は高レベルとなっている。パチンコ球が検知されると近接スイッチ２はオフになり、プルダウン抵抗７の電圧値Ｖｂは約０．８［Ｖ］になり、コンパレータ１０にかかる電圧は小さくなって、その出力電圧は低レベルとなる。
【０００５】
上述したコンパレータ１０の出力電圧のレベルによって、制御基板においてパチンコ球の入賞検知や球貸し検知が行われ、パチンコ球が遊技者に払い出される。
【０００６】
【発明が解決しようとする課題】
しかしながら、上記従来のパチンコ機において、機械式スイッチ１による検出回路と近接スイッチ２による検出回路とは、機械式スイッチ１が抵抗３を介してプルアップされ、近接スイッチ２が抵抗７を介してプルダウンされる異なった回路構成であるため、機械式スイッチ１と近接スイッチ２とを相互に変更するためには、ハードウェアの変更つまり検出回路が形成された回路基板を変更しなければならなかった。
【０００７】
【課題を解決するための手段】
本発明はこのような課題を解決するためになされたもので、遊技球を検知する検知手段と、この検知手段からの検知信号を検出して制御基板へ検出信号を出力する検出回路とから構成される弾球遊技機において、前記検出回路は、前記検知手段の検知方式に関わらず同一の回路構成からなることを特徴とする。
【０００８】
この構成によれば、検出回路は、検知手段が異なる検知方式に変更されても、この検知手段からの検知信号を同一の回路構成で検出する。
【０００９】
また、本発明は、検出回路が、検知手段の検知方式に対応した電源接続構成に切り換える切換手段を備えていることを特徴とする。
【００１０】
この構成によれば、異なる検知方式の検知手段に変更する際、切換手段を操作することによって、検出回路をこの異なる検知手段に対応した電源接続構成に切り換えることが出来る。
【００１１】
また、本発明は、検知手段の検知方式が機械式スイッチまたは近接スイッチからなり、検出回路が、機械式スイッチからの検知信号を検出する回路と、近接スイッチからの検知信号を検出する回路とから構成されることを特徴とする。
【００１２】
この構成によれば、検知手段が機械式スイッチに変更されると、検出回路は機械式スイッチからの検知信号を検出する回路に切り換えられ、検知手段が近接スイッチに変更されると、検出回路は近接スイッチからの検知信号を検出する回路に切り換えられる。
【００１３】
【発明の実施の形態】
次に、本発明による弾球遊技機をパチンコ機に適用した一実施形態について説明する。
【００１４】
図２は、本実施形態によるパチンコ機１１の正面図である。パチンコ機１１の正面には遊技盤１２が設けられており、その下方には上皿１３が設けられている。上皿１３の下方右側には、レール１４を介して遊技盤１２へパチンコ球を打ち込む際に操作される発射ハンドル１５が設けられている。
【００１５】
遊技盤１２の盤面中央には、特別図柄表示装置であるＬＣＤ（液晶表示装置）１６が設けられている。このＬＣＤ１６には、左図柄、中図柄および右図柄からなる３列の複数の特別図柄が表示され、また、これら特別図柄の背後に演出画が表示される。ＬＣＤ１６の上方には普通図柄表示装置１７が設けられており、この普通図柄表示装置１７を挟んで４つのＬＥＤ（発光ダイオード）からなる普通始動入賞個数表示部１８が設けられている。また、ＬＣＤ１６の下側には４つのＬＥＤからなる特別始動入賞個数表示部１９が設けられており、また、ＬＣＤ１６の左右には通過孔２０が設けられている。また、ＬＣＤ１６の下方には始動入賞口２１が設けられており、その下方には大入賞口２２、その左右には一般入賞口２３が設けられている。
【００１６】
上記の始動入賞口２１、大入賞口２２及び一般入賞口２３には、機械式スイッチまたは近接スイッチといった後述する検知スイッチ３０が設けられており、パチンコ球の各入賞口２１〜２３への入賞がこの検知スイッチ３０によって検知される。
【００１７】
また、普通始動入賞個数表示部１８には通過孔２０へのパチンコ球の通過が保留玉として最大４個まで記憶され、特別始動入賞個数表示部１９には始動入賞口２１へのパチンコ球の入賞が保留玉として最大４個まで記憶される。
【００１８】
図３は、本実施形態によるパチンコ機１１の背面図である。パチンコ機１１の背面上部には、球貸し時や入賞時に払い出されるパチンコ球を貯留しておく底面の傾斜した球タンク２５が設けられており、この底面の一端にはパチンコ球を球払出通路２６へと導く穴が形成されている。この穴のそばには、球タンク２５におけるパチンコ球の不足を検知する球切れ検知スイッチ２５ｓが設けられている。また、背面中段には、遊技盤１２に発射されたパチンコ球の入賞が検知スイッチ３０によって検出された場合、及びカードユニットからの球貸し要求があった場合にパチンコ球を払い出す払出装置２７が設けられている。
【００１９】
図４は、上述した検知スイッチ３０からの検知信号を検出する検出回路３１の構成を示す回路図である。
【００２０】
検知スイッチ３０は、ノーマリーオープンの機械式スイッチまたはノーマリークローズの近接スイッチのいずれかから構成されている。検知スイッチ３０の端子３０ａは、抵抗３２を介して２極双投スイッチ３３の一方のスイッチに接続されており、端子３０ｂは、２極双投スイッチ３３の他方のスイッチに接続されている。また、端子３０ａは、抵抗３４とコンデンサ３５とからなるＣＲローパスフィルタを介してコンパレータ３６の非反転入力端子３６ａにも接続されている。反転入力端子３６ｂには基準電圧が与えられており、このコンパレータ３６からの出力電圧が検出信号として図示しない制御基板へ出力される。
【００２１】
２極双投スイッチ３３は、同時に連動して動く２つのスイッチを備えており、検出回路３１を検知スイッチ３０の検知方式に対応した電源接続構成に切り換える切換手段を構成している。検出回路３１は、この２極双投スイッチ３３が接点３３ａ側に切り換えられて一方の端子３０ａが抵抗３２を介してＤＣ１２［Ｖ］の電源に接続されると、他方の端子３０ｂは接地され、また、２極双投スイッチ３３が接点３３ｂ側に切り換えられて一方の端子３０ａが抵抗３２を介して接地されると、他方の端子３０ｂがＤＣ１２［Ｖ］の電源に接続される回路構成になっている。検出回路３１は、２極双投スイッチ３３が接点３３ａ側に切り換えられると機械式スイッチからの検知信号を検出する回路構成になり、接点３３ｂ側に切り換えられると近接スイッチからの検知信号を検出する回路構成になる。
【００２２】
上記の構成において、検知スイッチ３０に機械式スイッチが用いられる場合、２極双投スイッチ３３の２つのスイッチは接点３３ａ側に切り換えられる。パチンコ球が検知されていないノーマル時、機械式スイッチはオフになっており、検知スイッチ３０の端子３０ａの電圧値は約１２［Ｖ］になっている。従って、抵抗３４及びコンデンサ３５からなるＣＲローパスフィルタを介してコンパレータ３６の非反転入力端子３６ａには約１２［Ｖ］の電圧が印加され、反転入力端子３６ｂの基準電圧よりも高くなってコンパレータ３６から制御基板に出力される出力電圧は高レベルになっている。
【００２３】
このとき、発射ハンドル１５の操作によって遊技盤１２へ発射されたパチンコ球が各入賞口２１〜２３に入賞すると、入賞球はこれらの各入賞口内部に設けられた機械式スイッチによって検知される。入賞球が検知されると、機械式スイッチはオンになって端子３０ａ，３０ｂ間が導通し、端子３０ａの電圧値は約０［Ｖ］になる。このため、コンパレータ３６の非反転入力端子３６ａにかかる電圧は反転入力端子３６ｂの基準電圧よりも低くなって制御基板に出力される出力電圧が低レベルになり、制御基板によってパチンコ球の入賞が検出される。
【００２４】
上記の機械式スイッチの代わりに近接スイッチを検知スイッチ３０に用いる場合、機械式スイッチが取り外されて近接スイッチが端子３０ａ，３０ｂ間に接続され、２極双投スイッチ３３は接点３３ｂ側に切り換えられる。
【００２５】
こうして検知スイッチ３０に近接スイッチが取り付けられた場合、パチンコ球が検知されていないノーマル時では、近接スイッチはオンになっており、端子３０ａの電圧値は約５．６［Ｖ］になっている。このとき、抵抗３４及びコンデンサ３５からなるＣＲローパスフィルタを介して非反転入力端子３６ａに反転入力端子３６ｂの基準電圧よりも高い約５．６［Ｖ］の電圧が印加されており、コンパレータ３６から制御基板に出力される出力電圧は高レベルになっている。
【００２６】
このとき、発射ハンドル１５の操作によって遊技盤１２へ発射されたパチンコ球が各入賞口２１〜２３に入賞すると、入賞球はこれらの各入賞口内部に設けられた近接スイッチによって検知される。入賞球が近接スイッチによって検知される度に、近接スイッチはオフになって端子３０ａ，３０ｂ間が開放され、端子３０ａの電圧値は約０．８［Ｖ］になる。そして、非反転入力端子３６ａにかかる電圧は反転入力端子３６ｂの基準電圧よりも小さくなって、コンパレータ３６から制御基板に出力される出力電圧が低レベルになり、制御基板によってパチンコ球の入賞が検出される。
【００２７】
このような本実施形態によるパチンコ機１１によれば、上述したように、検出回路３１は、検知スイッチ３０が機械式スイッチまたは近接スイッチといった異なる検知方式に変更されても、この検知スイッチ３０からの検知信号を同一の回路構成で検出する。このため、例えば一方の部品調達が困難となり、検知スイッチ３０を機械式スイッチまたは近接スイッチといった異なる検知方式に変更しても、検出回路３１の構成に変更を加える必要が無く、同一の回路基板が使えるので、検知スイッチ３０の変更作業は簡単にかつ迅速に行える。
【００２８】
また、検出回路３１が、検知スイッチ３０の検知方式に対応した電源接続構成に切り換える２極双投スイッチ３３を備えているため、異なる検知方式の検知スイッチ３０に変更する際、２極双投スイッチ３３を操作することによって、検出回路３１をこの異なる検知スイッチ３０に対応した電源接続構成に切り換えることが出来る。このため、検出回路３１は、検知スイッチ３０の検知方式に対応した電源接続構成に速やかに変更出来る。
【００２９】
なお、本実施形態においては、検知スイッチ３０の検知方式が機械式スイッチと近接スイッチの２つである場合を説明したが、本発明においては、検知方式がこれらのスイッチ以外のスイッチである場合であっても、上記と同様の作用効果が奏される。
【００３０】
また、本実施形態においては、検知スイッチ３０がパチンコ球の入賞を検知する場合につて説明したが、検知スイッチ３０がパチンコ球の球貸しを検知する場合にも、同様に本発明を適用することが出来、この場合においても上記と同様な作用効果が奏される。
【００３１】
【発明の効果】
以上説明したように本発明による弾球遊技機によれば、検出回路は、検知手段が異なる検知方式に変更されても、この検知手段からの検知信号を同一の回路構成で検出する。このため、検知手段を異なる検知方式に変更しても検出回路の構成に変更を加える必要が無く、同一の回路基板が使えるので、検知手段の変更作業は簡単にかつ迅速に行える。
【００３２】
また、検出回路が、検知手段の検知方式に対応した電源接続構成に切り換える切換手段を備えている構成の場合、異なる検知方式の検知手段に変更する際、切換手段を操作することによって、検出回路をこの異なる検知手段に対応した電源接続構成に切り換えることが出来る。このため、検出回路は、各検知手段の検知方式に対応した電源接続構成に速やかに変更出来る。
【図面の簡単な説明】
【図１】従来のパチンコ機における、パチンコ球の入賞及び球貸しの検出を行う回路の構成を示す図であり、（ａ）は機械式スイッチを用いた検出回路、（ｂ）は近接スイッチを用いた検出回路である。
【図２】本発明の一実施形態によるパチンコ機の正面図である。
【図３】本発明の一実施形態によるパチンコ機の背面図である。
【図４】本発明の一実施形態によるパチンコ機における、パチンコ球の入賞及び球貸しを検出する検出回路の構成を示す回路図である。
【符号の説明】
１１…パチンコ機
１５…発射ハンドル
２１…始動入賞口
２２…大入賞口
２３…一般入賞口
２５…球タンク
２７…払出装置
３０…検知スイッチ
３０ａ，３０ｂ…端子
３１…検出回路
３２，３４…抵抗
３３…２極双投スイッチ
３３ａ，３３ｂ…接点
３５…コンデンサ
３６…コンパレータ
３６ａ…非反転入力端子
３６ｂ…反転入力端子
【図１】
2004174025.tif 000003
【図２】
2004174025.tif 000004
【図３】
2004174025.tif 000005
【図４】
2004174025.tif 000006